(57)【特許請求の範囲】
【請求項１】
可動部材を、表面をカバー体によって被覆されたベースに支持させるためのものであって、
前記ベースに設定した支持面をカバー体を避けた位置に表出させ、その表出位置において、可動部材の被支持面をベースの支持面に重合させた状態で摺動可能に支持させていることを特徴とする可動部材の支持構造。
【請求項２】
可動部材の任意の可動位置において、ベースの支持面を可動部材の被支持面によって隠蔽するようにしていることを特徴とする請求項１記載の可動部材の支持構造。
【請求項３】
ベースが金属製のものであり、カバー体及び可動部材が樹脂製のものであることを特徴とする請求項２記載の可動部材の支持構造。
【請求項４】
カバー体が、ベースの支持面を表出させるための開口窓を有していることを特徴とする請求項１、２叉は３記載の可動部材の支持構造。
【請求項５】
ベースが、板状のベース本体を具備し、カバー体の開口窓がそのベース本体上に設定した支持面を表出させる位置に設けられているものであり、開口窓の周縁に開口窓を広げる方向に変形し得る弾性変形部を設け、この弾性変形部の変形動作を利用して該カバー体をベース本体の周縁に掛け止めるようにしていることを特徴とする請求項４記載の可動部材の支持構造。
【請求項６】
ベースが、ベース本体の他に該ベース本体の一部から突出する突起部を備え、カバー体の対応位置にその突起部を貫通させる貫通孔が設けられており、カバー体をベースに被覆する際に貫通孔と突起部の間でカバー体をベースに対して位置決めするようにしていることを特徴とする請求項５記載の可動部材の支持構造。
【請求項７】
突起部の外周をも支持面として設定し、貫通孔にその支持面を表出させる開口窓の役割を担わせていることを特徴とする請求項６記載の可動部材の支持構造。
【請求項８】
可動部材が、基端に設定した被支持面をベースに設定した支持面に回転可能に重合させ、先端を移動体に接続したリンク要素であることを特徴とする請求項１、２、３、４、５、６叉は７記載の可動部材の支持構造。
【請求項９】
ベースが、肘支柱の上端位置に配置されるものであり、移動体が、その肘支柱上のベースに支持される肘掛けであることを特徴とする請求項８記載の可動部材の支持構造。
【発明の詳細な説明】
【０００１】
【発明の属する技術分野】
本発明は、表面をカバー体によって被覆されたベースに可動部材を支持させる際に有用となる可動部材の支持構造に関するものである。
【０００２】
【従来の技術】
例えば、椅子に付帯する可動肘は、椅子から立ち上がる肘支柱の上端にベースを設け、このベースをカバー体により隠蔽して、その上方にリンク要素を介して肘掛けを移動可能に支持させるようにしているのが通例である。
【０００３】
【発明が解決しようとする課題】
ところで、かかる従来の支持構造は、ベースを所要の強度を付与するために金属素材から作り、カバー体を見栄えや柔らかい接触感を保つために樹脂等により作っているのが通例である。そして、リンク要素の基端側に通したボルトを、カバー体を貫通させた後にベースにねじ込むことによって、リンク要素をボルトの頭部下面とカバー体との間で可動できる状態下にベースからの脱落を防止するようにしている。
【０００４】
しかしながら、このような構成の下では、ボルトを締め込み過ぎると、リンク要素がカバー体に押し付けられ、これにより樹脂製のカバー体に負荷が掛かっていびつに潰れたり損傷や破損につながる恐れがあるし、これを避けるためにボルトに段付きボルトを採用して頭部下面とカバー体の上面との間に所定の隙間を確保するようにすると、リンク要素がその隙間で上下動し得るので、段付きボルトの頭部下面とリンク要素との間、或いはリンク要素とベースとの間に必要以上のクリアランスが生じて、見栄えの低下やガタつきの発生が避け難いものとなる。
【０００５】
【課題を解決するための手段】
上記の問題点を解決するために、本発明は、リンク要素等の可動部材を支持するにあたり、リンク要素をベースに抜け止め状態で取り付けてもカバー体に負荷を掛けることとならず、且つその取り付けによってリンク要素周辺に外観の低下やガタつきの原因となる不要なクリアランスを発生させないような可動部材の支持構造を提供することを目的としている。
【０００６】
【発明の実施の形態】
そのために、本発明に係る可動部材の支持構造は、可動部材を、表面をカバー体によって被覆されたベースに支持させるにあたり、前記ベースに設定した支持面をカバー体を避けた位置に表出させ、その表出位置において、可動部材の被支持面をベースの支持面に重合させた状態で摺動可能に支持させるようにしたものである。
【０００７】
このような支持構造によれば、可動部材をベースに取り付ける際に付与する締め付け力が仮に可動部材の被支持面とベースの支持面との間に作用しても、この部位にはカバー体を介在させていないので、締め付け力がカバー体に負荷として作用することがない。しかも、可動部材の被支持面をベースの支持面に重合させており、その間にクリアランスを確保する必要がないので、可動部材の取付部周辺の見栄えの低下や可動部材のガタつきの発生も有効に回避することができる。
【０００８】
ベースの支持面の露出を確実に防止するためには、可動部材の任意の可動位置において、ベースの支持面を可動部材の被支持面によって隠蔽するようにしておくことが望ましい。
可動部材に所要の支持強度を確保し、同時に良好な外観と柔らかい接触感を得るためには、ベースを金属製のものとし、カバー体及び可動部材を樹脂製のものとしておくことが好ましい。
【０００９】
ベースの支持面を表出させるがためにカバー体のベースへの被覆状態が劣悪とならないようにするためには、カバー体が、ベースの支持面を表出させるための開口窓を有していることが好適である。
ベースが、板状のベース本体を具備し、そのベース本体上に設定した支持面を表出させる開口窓をカバー体に設けている場合に、開口窓を利用してカバー体のベース本体への取り付けを有効に行い得るようにするためには、開口窓の周縁に開口窓を広げる方向に変形し得る弾性変形部を形成し、その弾性変形部の変形動作を利用して該カバー体をベース本体の周縁に掛け止めるようにしていることが好都合である。
【００１０】
その際、ベースが、ベース本体の他に該ベース本体の一部から突出する突起部を備え、カバー体の対応位置にその突起部を貫通させる貫通孔を設けている場合には、カバー体をベースに被覆する際に貫通孔と突起部の間でカバー体をベースに対して位置決めするようにしていることが好ましい。
この突起部の外周をも支持面として設定されている場合には、貫通孔にその支持面を表出させる開口窓の役割を担わせればよい。
【００１１】
以上のような構成であるから、本発明は、可動部材が、基端に設定した被支持面をベースに設定した支持面に回転可能に重合させ、先端を移動体に接続したリンク要素である場合に有用であり、特に、ベースが肘支柱の上端位置に配置され、移動体が、その肘支柱上のベースに支持される肘掛けである場合のように、視認し易い位置に配置され、頻繁に使用されるようなものに適用して極めて有用なものとなり得る。
【００１２】
【実施例】
以下、本発明の一実施例を、図１〜図８を参照して説明する。
図１は、この実施例の支持構造が適用される椅子を示している。この椅子は、椅子本体１を主体として構成され、この椅子本体１の一部に上端にベース１０（図２及び図３参照）を有する肘支柱１５を設けて、そのベース１０にリンク機構２を介して肘掛け３を移動可能に取り付けてなるものである。
【００１３】
具体的に説明すると、椅子本体１は、脚羽根１１の中央から起立する支柱１２に座１３を支持させ、この座１３の後方に背凭れ１４を取り付けるとともに、座１３の左右両縁近傍の下面から上方に向けて肘支柱１５を突出して設け、この肘支柱１５の上端に肘掛け３を取り付けるベース１０を固定して設けたものである。
【００１４】
ベース１０は、図１〜図４に示すように、平面視台形をなす平板状のベース本体１０１と、このベース本体１０１の前方内側のコーナー部に起立して設けた円筒状の軸受部材１０２とを具備してなる金属製のもので、軸受部材１０２の外周を後述する第１リンク要素４を支持するための第１の支持面１０２ａとなし、ベース本体１０１の後方内側のコーナー部の上面を後述する第２リンク要素５を支持するための第２の支持面１０１ａとなしている。そして、このベース１０の表面をカバー体２０によって被覆している。
【００１５】
カバー体２０は、前記ベース１０の外縁の外側に嵌め込まれる側壁２０１と、ベース本体１０１の上面を被覆する位置に配置される上壁２０２とを備えた樹脂製のもので、その上壁２０２の一部に、ベース１０の軸受部材１０２を貫通させて第１の支持面１０２ａを上方に表出させる貫通孔２０２ａと、ベース本体１０１の第２の支持面１０１ａを上方に表出させる開口窓２０２ｂとを形成している。開口窓２０２ｂの周縁であって、後方内側のコーナー部に近い位置は、側壁２０１のみを残した状態で上壁２０２が切除してあり、その側壁部分に開口を広げる方向に弾性変形可能な弾性変形部２０１ａを形成している。そして、カバー体２０をベース１０に被せる際に貫通孔２０２ａと軸受部材１０２とを比較的緊密に嵌め合わせることによってカバー体２０とベース１０とをこの部位において位置決めし、その状態でカバー体２０の開口窓２０２ｂの周縁に形成した弾性変形部２０１ａの変形動作を利用して該カバー体２０をベース本体１０１の周縁に掛け止めることができるようにされている。
【００１６】
肘掛け３は、図１、図２、図３及び図８に示すように、座１３の側方にあって長手方向が前後方向に略合致することとなる第１の使用位置Ｐに配置した際に、平面視においてこのベース１０を完全に覆い、且つその前方、後方及び外側方にオーバーハングする状態でベース１０に支持されるもので、少なくとも板状の基台３１と、この基台３１の上面に形成される肘当て３２とから構成されている。基台３１には、外縁側の前後方向ほぼ中央位置にあって下方に向かって開口する円筒状をなす第１の支持部３２ａ（図６参照）と、外縁側の後端よりにあって下方に向かって開口する貫通孔状の第２の支持部３２ｂ（図５参照）とが設けてある。
【００１７】
リンク機構２は、図３に示すように、第１リンク要索４及び第２リンク要素５から構成されている。第１リンク要素４は、図３及び図６に示すように、その巾寸法が、平面視において中央に近付くほど巾広となるような形状をなし、ベース１０と基台３１の間にカバー２０を介し一定の厚み寸法をもってスペーサ的に介在されるもので、この形状を四角形と見做した場合に動作基端側にある長尺な対角線上に位置する一方の対角にベース側取付部４１を設け、動作先端側にある他方の対角に肘取付部４２を設けている。ベース側取付部４１は、内周を前記軸受部材１０２の支持面１０２ａに外側から嵌合し得るような被支持面４１ｃを設定された下方に開口するボス孔状の凹部４１ｘと、この凹部４１ｘの内側にあって軸受部材１０２の内周位に挿入される有底筒状の突起４１ｙとを備えている。また、肘取付部４２は、内周を前記基台３１の第１の支持部３２ａに外側から嵌合し得る支持面４２ａとなすように上方に開口するボス孔状の凹部４２ｘと、この凹部４２ｘの内側にあって第１の支持部３２ａの内周位に挿入される有底筒状の突起４２ｙとを備えている。
【００１８】
そして、軸受部材１０２の外側に凹部４１ｘを被せるようにして第１リンク要素４のベース側取付部４１に設定した被支持面４１ｃをＯリング４１ｂ及びスペーサ４１ｓを介して軸受部材１０２の第１の支持面１０２ａに相対回転可能に嵌め合わせ、その位置で第１リンク要素４の突起４１ｙの底部４１ｙ１に上方から抜け止め手段である段付きボルト４１ｄを挿入してその下端をベース本体１０１の対応位置にねじ止めして、第１リンク要素４のベース側取付部４１をベース１０に摺動回転可能に取り付けている。また、基台３１の第１の支持部３２ａの外側に凹部４２ｘを被せるようにして第１リンク要素４の肘取付部４２の支持面４２ａをＯリング４２ｂ及びスペーサ４２ｓを介して第１の支持部３２ａの外周に相対回転可能に嵌め合わせ、その位置で第１リンク要素４の突起４２ｙの底部４２ｙ１に下方から抜け止め手段である段付きボルト４２ｄを挿入してその上端を基台３１の対応位置にねじ止めすることによって、第１リンク要素４の肘取付部４２と基台３１とを摺動回転可能に取り付けている。段付きボルト４１ｄは、第１の支持面１０２ａ及び被支持面４１ｃに対してそれらの軸心位置に設けられるもので、第１リンク要素４とベース１０に亘って支軸４１ｄ１を配置し、この支軸４１ｄ１の一端側に配置される頭部４１ｄ２と他端側がねじ込まれるベース本体１０１とをそれぞれ規制手段として、この規制手段によって第１リンク要素４のベース１０からの脱落を禁止しているものである。
【００１９】
一方、第２リンク要素５は、図３〜図５に示すように、互いに平行をなす第１、第２の平板部５１、５２と、両平板部５１、５２間を連結する位置にあって第１の平板部５１から起立して第２の平板部５２に終わる起立部５３とを具備してなるもので、第１の平板部５１の下面から第２の平板部５２の上面までの距離は、前記第１リンク要素４の厚み寸法にほぼ合致させてある。第１の平板部５１は、前記カバー２０の開口窓２０２ｂに対応した円柱形状のもので、その下面に下向き円筒状をなす第１の軸部５１ａが設けてあり、第２の平板部５２は、その上面に上向きに円筒状をなす第２の軸部５２ｍが設けてある。そして、第１の平板部５１をカバー２０の開口窓２０２ｂ内に挿入して、その下面に設定した被支持面５１ａを前記ベース本体１０１の第２の支持面１０１ａに重合させ、このとき第１の軸部５１ｍを開口窓２０２ｂ内のベース本体１０１に予め設けておいた孔１０１ａ１に挿入して、ボルト１０ａ２によりベース本体１０１の後方内側のコーナー部に摺動回転可能に取り付けるとともに、第２の平板部５２の軸部５２ａを基台３１の外縁近くであって後端よりの下面に設けた第２の取付部３２ｂの穴３２ｂ１に挿入し、これにより第２の平板部５２の上面５２ｂを基台３１の下面に重合させて、ボルト５２ａ１を第２の取付部３２ｂにねじ込むことにより、第２の平板部５２を基台３１に摺動回転可能に取り付けている。この実施例では、第１の平板部５２の被支持面５１ａとベース本体１０１の第２の支持面１０１ａとは共に略同一の円形状に設定され、第２リンク要素５の任意の可動位置において、ベース本体１０１の第２の支持面１０１ａが第１の平板部５２の下面に設定した被支持面５１ａによって隠蔽されるようにしている。
【００２０】
以上により、リンク機構２に、肘掛け３に対するガイド機能として、図７に示すように、椅子本体１の側方に位置する第１の使用位置Ｐと椅子本体１の前方に位置する第２の使用位置Ｑとの間で着座者の周囲を一定の軌跡に沿って移動させる機能を付与している。すなわち、着座姿勢で右側に位置する肘掛け３に着目すると、第１リンク要素４は、図８に示すように、第１の取付部４１を中心に第２の取付部４２を後方斜め外よりの位置Ｓから平面視反時計回りに２００°程度回転させて内側方位置Ｔに移動させ、第２リンク要素５は、第１の軸部５１ａを中心に第２の軸部５２ａを後方斜め外よりの位置Ｕから平面視反時計回りに１２０°程度回転させて前方斜め外よりの位置Ｖに移動させ、その間に、肘掛け３を第１の使用位置Ｐから平面視反時計回りに１１０°程度移動させて、左右の肘掛け３の前端同士がほぼ突き合う第２の使用位置Ｑまで移動させ得るようにしている。
【００２１】
以上説明したように、本実施例の支持構造は、第２リンク要素５を、表面をカバー体２０によって被覆されたベース１０に支持させるにあたり、ベース１０に設定した支持面１０１ａをカバー体２０を避けた位置に表出させ、その表出位置において、第２リンク要素５の被支持面５１ａをベース１０の支持面１０１ａに重合させた状態で摺動可能に支持させるようにしたものである。このため、第２リンク要素５をカバー体２０に負荷を掛けることなく締め付け固定するなどしても、カバー体２０を保護し、且つ取付部周辺の良好な外観を確保しつつ、第２リンク要素５にガタつきのない適正な取付状態を実現することが可能となる。
【００２２】
第１リンク要素４に対しても同様で、この第１リンク要素４を、表面をカバー体２０によって被覆されたベース１０に支持させるにあたり、ベース１０に設定した支持面１０２ａをカバー体２０を避けた位置に表出させ、その表出位置において、第１リンク要素４の被支持面４１ｃをベース１０の支持面１０１ａに重合させた状態で摺動可能に支持させるようにしている。このため、第１リンク要素４にカバー体２０に負荷を掛けることなく締め付け固定するなどしても、カバー体２０を保護し、且つ取付部周辺の良好な外観を確保しつつ、第１リンク要素４のガタつきのない適正な取付状態を実現することが可能となる。
【００２３】
特に、リンク要素５、４の任意の可動位置において、ベース１０の支持面１０１ａ、１０２ａをリンク要素５、４の被支持面５１ａ、４１ｃによって隠蔽するようにしているため、ベース１０の支持面１０１ａ、１０２ａが露出することを的確に防止して外観の向上を実効あるものにすることができる。
また、ベース１０を金属製のものとし、カバー体２０及びリンク要素４、５を樹脂製のものとしているため、リンク要素４、５に対する必要な支持強度と、ベース１０を表出させないことによる良好な外観及び柔らかい接触感とを好適に両立させることができる。
【００２４】
さらに、カバー体２０に、ベース１０の支持面１０１ａを表出させるための開口窓２０２ｂを設けているため、必要な部分以外におけるカバー体２０の隠蔽機能を有効に確保してベース１０への被覆状態が劣悪となることを有効に防止することができる。
特に、本実施例のものは、ベース１０が、板状のベース本体１０１を具備し、そのベース本体１０１上に設定した支持面１０１ａを表出させる開口窓２０２ｂをカバー体２０に設けているものであるが、その開口窓２０２ｂの周縁に開口窓２０２ｂを広げる方向に変形し得る弾性変形部２０１ａを形成して、その弾性変形部２０１ａの変形動作を利用して該カバー体２０をベース本体１０１の周縁に掛け止めるようにしているため、別段の固定手段を導入することなく、ベース本体１０１へのカバー体２０の装着状態を良好に保つことができる。
【００２５】
その際、ベース１０は、ベース本体１０１の他に該ベース本体１０１の一部から突出する突起部たる軸受部材１０２を備え、カバー体２０の対応位置にその軸受部材１０２を貫通させる貫通孔２０２ａを設けているが、カバー体２０をベース１０に被覆する際に貫通孔２０２ａと軸受部材１０２の間でカバー体２０をベース１０に対して位置決めできるようにしているため、弾性変形部２０１ａを変形させる方向に引っ張るなどしても、カバー体２０の位置ずれを有効に防止することができる。
【００２６】
また、本実施例は、前記軸受部材１０２の外周をも支持面１０２ａとして設定しているものであるが、貫通孔２０２ａにその支持面１０２ａを表出させる開口窓の役割も担わせているため、別途に開口窓を設けることを不要にすることができる。
本発明は、以上のような構成であるから、上記実施例のように可動部材が基端に設定した被支持面５１ａ、４１ｃをベース１０に設定した支持面１０１ａ、１０２ａに回転可能に重合させ先端を移動体に接続したリンク要素５、４であるものに適用して有用であり、特に、ベース１０が肘支柱１５の上端位置に配置され、移動体がその肘支柱１５上のベース１０に支持される肘掛け３のように視認し易い位置に配置され、頻繁に荷重を掛けて使用されるようなものに適用して極めて有用なものとなり得る。
【００２７】
なお、各部の具体的な構成は、図示実施例のものに限定されるものではなく、本発明の趣旨を逸脱しない範囲で種々変形が可能である。例えば、図９に示すように、カバー体３２０の側壁をベース３１０の側面に沿って緊密に配置するとともに、ベース３１０の角部３１０ａ近傍においてカバー体３２０の側壁を前記角部３１０ａを包囲するように部分円筒状に膨らませて形成し、その状態でカバー体３２０の上壁３２０ａを一部切除して表出させたベース３１０の支持面３１０ｘに可動部材３０５の被支持面３０５ｘを支持させるようにしてもよい。このようにすると、剛性のあるベース３１０の角部３１０ａを加工することなくそのまま使用することができるので、製造工数やコストの削減を図ることができる。
【００２８】
また、図１０に示すように、カバー体４２０の一部を起立させてその位置にほぼ完全な円筒部４２０ａを形成し、その内部にベース４１０の角部４１０ａを配置して、前記円筒部４２０ａに可動部材４０５の被支持面４０５ｘを挿入してベース４１０の支持面４１０ｘに支持させるようにしてもよい。このようにすれば、剛性のあるベース４１０を加工することなくそのまま使用できる上に、可動部材４０５とカバー体４２０の間に円周方向に均一な突き合わせ隙間を形成して、外観の向上や異物侵入の防止等を図ることができる。
【００２９】
【発明の効果】
本発明は、以上説明したような形態で実施され、以下に記載される効果を奏する。
すなわち、本発明に係る可動部材の支持構造は、可動部材を、表面をカバー体によって被覆されたベースに支持させるにあたり、ベースに設定した支持面をカバー体を避けた位置に表出させ、その表出位置において、可動部材の被支持面をベースの支持面に重合させた状態で摺動可能に支持させるようにしたものである。
【００３０】
このため、可動部材をカバー体に負荷を掛けることなく締め付け固定するなどしても、カバー体を保護し、且つ取付部周辺の良好な外観を確保しつつ、可動部材のガタつきのない適正な取付状態を実現することが可能となる。
可動部材の任意の可動位置において、ベースの支持面を可動部材の被支持面によって隠蔽するようにしておけば、ベースの支持面が露出することを的確に防止して外観の向上を実効あるものにすることができる。
【００３１】
また、ベースを金属製のものとし、カバー体及び可動部材を樹脂製のものとしておけば、可動部材に対する必要な支持強度と、良好な外観及び柔らかい接触感とを好適に両立させることができる。
カバー体に、ベースの支持面を表出させるための開口窓を設けるようにすれば、必要な部分以外のカバーの隠蔽機能を有効に確保してベースへの被覆状態が劣悪となることを防止することができる。
【００３２】
ベースが、板状のベース本体を具備し、そのベース本体上に設定した支持面を表出させる開口窓をカバー体に設けている場合に、開口窓の周縁に開口窓を広げる方向に変形し得る弾性変形部を形成して、その弾性変形部の変形動作を利用して該カバー体をベース本体の周縁に掛け止めるようにしておけば、別段の固定手段を導入することなく、ベース本体へのカバー体の装着状態を良好に保つことができる。
【００３３】
その際、ベースが、ベース本体の他に該ベース本体の一部から突出する突起部を備え、カバー体の対応位置にその突起部を貫通させる貫通孔を設けている場合に、カバー体をベースに被覆する際に貫通孔と突起部の間でカバー体をベースに対して位置決めするようにしておけば、弾性変形部を変形させる方向に
引っ張るなどしても、カバー体の位置ずれを有効に防止することができる。
【００３４】
この突起部の外周をも支持面として設定されている場合には、貫通孔にその支持面を表出させる開口窓の役割を担わせれ、別途に開口窓を設けることを不要にすることができる。
以上のような構成であるから、本発明は、可動部材が、基端に設定した被支持面をベースに設定した支持面に回転可能に重合させ、先端を移動体に接続したリンク要素である場合に有用であり、特に、ベースが肘支柱の上端位置に配置され、移動体が、その肘支柱上のベースに支持される肘掛けである場合のように、視認し易い位置に配置され、頻繁に使用されるようなものに適用して極めて有用なものとなり得る。
【図面の簡単な説明】
【図１】本発明の一実施例を適用した椅子の示す斜視図。
【図２】同実施例中の肘掛けを示す側面図。
【図３】図２の部分分解斜視図。
【図４】図３の要部分解斜視図。
【図５】リンク機構の一部を示す部分断面図。
【図６】リンク機構の他の一部を示す部分断面図。
【図７】同実施例の作用説明図。
【図８】同実施例の作用説明図。
【図９】本発明の変形例を示す図。
【図１０】本発明の他の変形例を示す図。
【符号の説明】
３…移動体（肘掛け）
４…可動部材（第１リンク要素）
５…可動部材（第２リンク要素）
１０…ベース
１５…脚支柱
２０…カバー体
５１ａ…被支持面
１０１…ベース本体
１０１ａ…支持面
１０２…突起部（軸受部材）
１０２ａ…周方向の支持面（第１の支持面）
２０２ａ…弾性変形部
２０２ｂ…開口窓
【図１】
0003655519.tif 000002
【図２】
0003655519.tif 000003
【図３】
0003655519.tif 000004
【図４】
0003655519.tif 000005
【図５】
0003655519.tif 000006
【図６】
0003655519.tif 000007
【図７】
0003655519.tif 000008
【図８】
0003655519.tif 000009
【図９】
0003655519.tif 000010
【図１０】
0003655519.tif 000011